(57)【要約】【課題】耐擦過性が良好な画像を記録可能であるとともに吐出安定性が良好なインク、並びにそのインクを用いたインクカートリッジ及びインクジェット記録方法を提供する。【解決手段】顔料、及びカルボキシメチルセルロースを含有するインクジェット用インクであって、カルボキシメチルセルロースの重量平均分子量が２５０，０００以上であることを特徴とするインクである。また、そのインクと、そのインクを収容するインク収容部とを備えたインクカートリッジである。さらに、そのインクをインクジェット方式の記録ヘッドから吐出して記録媒体に画像を記録するインクジェット記録方法である。【選択図】なし【特許請求の範囲】
【請求項１】
顔料、及びカルボキシメチルセルロースを含有するインクジェット用インクであって、
前記カルボキシメチルセルロースの重量平均分子量が２５０，０００以上であることを特徴とするインク。
【請求項２】
前記カルボキシメチルセルロースの含有量（質量％）が、インク全質量を基準として、０．０１０質量％以上０．３００質量％以下である請求項１に記載のインク。
【請求項３】
前記カルボキシメチルセルロースの含有量（質量％）が、前記顔料の含有量（質量％）に対する質量比率で、０．００２倍以上０．２００倍以下である請求項１又は２に記載のインク。
【請求項４】
前記カルボキシメチルセルロースのエーテル化度が、０．２以上１．５以下である請求項１乃至３のいずれか１項に記載のインク。
【請求項５】
インクと、前記インクを収容するインク収容部とを備えたインクカートリッジであって、
前記インクが、請求項１乃至４のいずれか１項に記載のインクであることを特徴とするインクカートリッジ。
【請求項６】
インクをインクジェット方式の記録ヘッドから吐出して記録媒体に画像を記録するインクジェット記録方法であって、
前記インクが、請求項１乃至４のいずれか１項に記載のインクであることを特徴とするインクジェット記録方法。
【発明の詳細な説明】
【技術分野】
【０００１】
本発明は、インク、インクカートリッジ、及びインクジェット記録方法に関する。
【背景技術】
【０００２】
近年、インクジェット記録装置に用いるインクには、高い吐出安定性に加え、さらに記録した画像の耐擦過性を一層向上させることが求められている。特に色材として顔料を含有するインクは上記の各性能を高いレベルで両立させることが困難であった。
【０００３】
これらのインク性能を向上させる手法の一つとして、カルボキシメチルセルロースを含有するインクが検討されている（特許文献１乃至３）。特許文献１には、低粘度のカルボキシメチルセルロースを含有するインクと、ゲル化剤としてのポリエチレンイミンを含有するインクとを備えてなるインクセットが記載されている。特許文献２には、低粘度のカルボキシメチルセルロースを含有するインクが記載されている。特許文献３には、低粘度のカルボキシメチルセルロース及びポリビニルピロリドンを含有するインクが記載されている。
【先行技術文献】
【特許文献】
【０００４】
【特許文献１】特開２００２−３０９１３４号公報
【特許文献２】特開２００２−１９４２５６号公報
【特許文献３】特開平４−１８０９７３号公報
【発明の概要】
【発明が解決しようとする課題】
【０００５】
本発明者らの検討の結果、特許文献１乃至３に記載されている低粘度、つまり重量平均分子量の小さいカルボキシメチルセルロースを含有する従来のインクは、インクの吐出安定性及び画像の耐擦過性を高いレベルで両立するには至っていないことがわかった。
【０００６】
したがって、本発明の目的は、耐擦過性が良好な画像を記録可能であるとともに、吐出安定性が良好なインクを提供することにある。また、本発明の別の目的は、前記インクを用いたインクカートリッジ及びインクジェット記録方法を提供することにある。
【課題を解決するための手段】
【０００７】
上記の目的は以下の本発明によって達成される。すなわち、本発明によれば、顔料、及びカルボキシメチルセルロースを含有するインクジェット用インクであって、前記カルボキシメチルセルロースの重量平均分子量が２５０，０００以上であることを特徴とするインクが提供される。
【発明の効果】
【０００８】
本発明によれば、耐擦過性が良好な画像を記録可能であるとともに、吐出安定性が良好なインクを提供することができる。また、本発明の別の実施態様によれば、前記インクを用いたインクカートリッジ及びインクジェット記録方法を提供することができる。
【図面の簡単な説明】
【０００９】
【図１】本発明のインクカートリッジの一実施形態を模式的に示す断面図である。
【図２】本発明のインクジェット記録方法に用いられるインクジェット記録装置の一例を模式的に示す図であり、（ａ）はインクジェット記録装置の主要部の斜視図、（ｂ）はヘッドカートリッジの斜視図である。
【発明を実施するための形態】
【００１０】
以下に、好ましい実施の形態を挙げて、さらに本発明を詳細に説明する。なお、本発明においては、化合物が塩である場合は、インク中では塩はイオンに解離して存在しているが、便宜上、「塩を含有する」と表現する。また、インクジェット用のインクのことを、単に「インク」と記載することがある。また、物性値は、特に断りのない限り、常温（２５℃）における値とする。
【００１１】
顔料を含有するインクをインクジェット方式の記録ヘッドから吐出して記録媒体への画像の記録を続けた場合、インクを安定して連続吐出させることができなくなることがある。まず、この推定要因について以下に述べる。
【００１２】
インク中において、顔料は染料と異なり、液媒体に溶解しないために、色材は粒子径を持った状態で存在し、さらに粒子径が分布を有する。また顔料を液媒体に分散させるために自己分散化や樹脂分散化の処理を顔料に施すために、顔料粒子の表面において、分散能力が付与された箇所は局在的となる。そのため、顔料を色材として用いたインク中には、分散能力が十分ではない顔料粒子が含まれる。また、Ｃ．Ｉ．ピグメントイエロー７４など、一部のアゾ顔料のように少量の溶解成分を含む顔料や、合成過程でのカップラーが残存する顔料がある。これらの顔料をインクに用いて連続吐出させると、分散能力が十分でない顔料粒子や溶解成分が、記録ヘッドの吐出口が形成された面の濡れを引き起こしたり、濡れた状態からさらに経時的に堆積することで吐出口を塞いだりする。特にインクの吐出方式がサーマル方式である場合には、ヒーター上で分散能力が十分でない顔料粒子や再結晶化した溶出物が焦げたりする。そのためにインクを安定して連続吐出させることができないと本発明者らは推測している。
【００１３】
そこで本発明者らは、検討の結果、色材として顔料を含有するインクに、特定の重量平均分子量を有するカルボキシメチルセルロースを添加することで、インクを長期間吐出させる際の吐出安定性及び画像の耐擦過性を高いレベルで両立できることを見出した。すなわち、本発明のインクは、顔料、及びカルボキシメチルセルロースを含有するインクジェット用インクであって、カルボキシメチルセルロースの重量平均分子量が２５０，０００以上であることを特徴とする。
【００１４】
本発明のインクにより、吐出安定性が改善される理由を、本発明者らは次のように推測している。すなわち、重量平均分子量２５０，０００以上のカルボキシメチルセルロースは、分散能力が十分でない顔料粒子や顔料からの溶解成分（以下、これらを「吐出不安定化成分」と記す。）を吸着する。これにより、吐出不安定化成分の分散能力が保たれ、インクの吐出により、濡れや堆積を生じることなく、系外へ排出されるためであると推測される。
【００１５】
＜インク＞
以下、本発明のインクを構成する各成分やインクの物性について詳細に説明する。
【００１６】
（カルボキシメチルセルロース）
本発明のインクは、重量平均分子量が２５０，０００以上のカルボキシメチルセルロースを含有する。重量平均分子量は、ゲルパーミエーションクロマトグラフィー（ＧＰＣ）により得られるポリスチレン換算の重量平均分子量である。
【００１７】
重量平均分子量が２５０，０００未満のカルボキシメチルセルロースは、その高分子鎖が短すぎるために吐出不安定化成分に吸着されるだけで、インクが吐出される際に吐出不安定化成分を系外に排出することができない。しかし、重量平均分子量が２５０，０００以上のカルボキシメチルセルロースは、その高分子鎖が十分に長いために、吐出不安定化成分を吸着でき、インクが吐出される際に吐出不安定化成分を系外に排出することができる。そのため、長期間にわたってインクの吐出を繰り返しても、インクの吐出が安定的に行われる。さらに重量平均分子量が２５０，０００以上のカルボキシメチルセルロースの場合、その高分子鎖が十分に長いために、インクが記録媒体に吐出されたときに長鎖のカルボキシメチルセルロースが顔料粒子の表面を覆うことができる。そのため、この場合、インクにより記録された画像の耐擦過性も向上する。
【００１８】
インクの吐出安定性及び画像の耐擦過性を高いレベルで両立する観点から、カルボキシメチルセルロースの重量平均分子量は、２５０，０００以上であり、好ましくは５００，０００以上、より好ましくは７００，０００以上である。また、カルボキシメチルセルロースの重量平均分子量は、２，０００，０００以下であることが好ましい。これは、あまりにも高分子鎖が長いと、カルボキシメチルセルロースが顔料に吸着する際に、顔料粒子間を架橋するような状態となって、インクの粘度が上昇し、十分な吐出安定性が得られない場合があるためである。さらに、あまりにも高分子鎖が長いと、インクを製造する際の精製工程で除去されやすくなり、カルボキシメチルセルロースを含有させることによる効果が十分に発揮されない場合があるためである。
【００１９】
カルボキシメチルセルロースのエーテル化度は０．２以上１．５以下であることが好ましく、０．７以上１．２以下であることがさらに好ましい。エーテル化度が低すぎるとインク中での分散性が低くなり、吐出安定性が低くなる場合があるためである。また、エーテル化度が高すぎるとカルボキシメチルセルロースのインク中の液媒体との親和性が高くなりすぎて、吐出不安定化成分との相互作用が弱くなってしまうためである。ここで、カルボキシメチルセルロースのエーテル化度とは、１ユニットの無水グルコースについてのカルボキシメチル基の置換数（平均値）を示す指標である。無水グルコースの１ユニットは３つのヒドロキシ基を有するため、カルボキシメチル基の置換数、すなわちエーテル化度の最大値は３．０である。エーテル化度は、インクから適宜分取したカルボキシメチルセルロースを無水化するために焼成し、これに濃度既知の酸（硫酸など）を添加した試料について、アルカリ（水酸化カリウムなどの水溶液）による逆滴定を行うことで測定することができる。
【００２０】
カルボキシメチルセルロースは塩であってもよい。塩としては、ナトリウム、カリウム、及びリチウムなどのアルカリ金属塩、マグネシウム、及びカルシウムなどのアルカリ土類金属塩が好ましい。より好ましくはナトリウム塩又はカリウム塩である。カルボキシメチルセルロースは、例えば、特開２０１２−３６３７５号公報などを参考にしながら合成することができる。また、市販のカルボキシメチルセルロースを用いることもできる。市販品として、例えば、シグマアルドリッチ製のナトリウムカルボキシメチルセルロース、ダイセルファインケム製のＣＭＣダイセル、第一工業製薬製のセロゲン、日本製紙製のサンローズ、及びスギノマシン製のＢｉＮＦｉ−ｓなどの商品を挙げることができる。
【００２１】
インク中のカルボキシメチルセルロースの含有量（質量％）は、インク全質量を基準として、０．００１質量％以上１．０００質量％以下であることが好ましい。なかでも、０．００５質量％以上０．６００質量％以下であることがより好ましい。カルボキシメチルセルロースの含有量が０．００５質量％未満であると、カルボキシメチルセルロースが顔料粒子の表面を十分に覆えないために、記録される画像において十分な耐擦過性を得ることができない場合がある。一方、カルボキシメチルセルロースの含有量が０．６００質量％超であると、インクの粘度が上昇し、十分な吐出安定性を得ることができない場合がある。カルボキシメチルセルロースの含有量（質量％）は、インク全質量を基準として、０．０１０質量％以上０．３００質量％以下であることがさらに好ましい。カルボキシメチルセルロースの含有量が０．０１０質量％以上であることにより、カルボキシメチルセルロースが顔料粒子の表面を十分に覆うことができるため、画像の耐擦過性をさらに高めることができる。また、カルボキシメチルセルロースの含有量が０．３００質量％以下であることにより、インクの粘度上昇を抑制できるため、インクの吐出安定性をさらに高めることができる。
【００２２】
インク中のカルボキシメチルセルロースの含有量（質量％）は、顔料の含有量（質量％）に対する質量比率で、０．００１倍以上０．３００倍以下であることが好ましい。カルボキシメチルセルロースの含有量が顔料の含有量に対する質量比率で０．００１倍未満であると、顔料に対するカルボキシメチルセルロースの割合が少なすぎるために、吐出不安定化成分を十分に吸着することができない場合がある。一方、カルボキシメチルセルロースの含有量が顔料の含有量に対する質量比率で０．３００倍超であると、インクの粘度が上昇し、十分な吐出安定性を得ることができない場合がある。カルボキシメチルセルロースの含有量（質量％）は、顔料の含有量（質量％）に対する質量比率で、０．００２倍以上０．２００倍以下であることがさらに好ましい。カルボキシメチルセルロースの含有量が顔料の含有量に対する質量比率で０．００２倍以上であることにより、吐出不安定化成分を十分に吸着することができ、インクの吐出安定性をさらに高めることができる。また、カルボキシメチルセルロースの含有量が顔料の含有量に対する質量比率で０．２００倍以下であることにより、インクの粘度上昇を抑制できるため、インクの吐出安定性をさらに高めることができる。
【００２３】
（顔料）
本発明のインクは、色材として顔料を含有する。顔料としては、当該技術分野で公知のカーボンブラックなどの無機顔料や有機顔料を挙げることができる。なかでも、カーボンブラックや有機顔料を用いることが好ましく、特に、Ｃ．Ｉ．ピグメントイエロー７４などのモノアゾ顔料が好ましい。モノアゾ顔料は、カルボキシメチルセルロースと組み合わせたときの吐出安定化の効果が大きいためである。これはそもそもモノアゾ顔料が他の顔料と比較して吐出不安定化成分を多く含むためである。
【００２４】
顔料としては、顔料の粒子表面に親水性基や樹脂などを結合させた自己分散顔料、樹脂分散剤を用いる樹脂分散顔料及びマイクロカプセル顔料など、公知の分散方式によって分散させたものを用いることができる。
【００２５】
インク中の顔料の含有量（質量％）は、インク全質量を基準として、０．１０質量％以上１５．００質量％以下であることが好ましく、１．００質量％以上１０．００質量％以下であることがさらに好ましい。
【００２６】
（水性媒体）
本発明のインクは、水、又は水及び水溶性有機溶剤の混合溶媒である水性媒体を含有させることができる。本発明のインクは、水性媒体として少なくとも水を含有する、水性のインクであることが好ましい。水としては脱イオン水（イオン交換水）を用いることが好ましい。水溶性有機溶剤としては特に限定されるものではなく、アルコール類、グリコール類、グリコールエーテル類、及び含窒素化合物類などのインクジェット用のインクに使用可能なものをいずれも用いることができる。また、これらの水溶性有機溶剤の１種又は２種以上をインクに含有させることができる。
【００２７】
インク中の水の含有量（質量％）は、インク全質量を基準として、５０．００質量％以上９５．００質量％以下であることが好ましい。また、インク中の水溶性有機溶剤の含有量（質量％）は、インク全質量を基準として、３．００質量％以上５０．００質量％以下であることが好ましい。水溶性有機溶剤の含有量が３．００質量％未満であると、インクをインクジェット記録装置に用いる場合に耐固着性などの信頼性が得られない場合がある。また、水溶性有機溶剤の含有量が５０．００質量％超であると、インクの粘度が上昇して、インクの供給不良が起きる場合がある。
【００２８】
（その他の成分）
本発明のインクには、上記成分の他に、尿素やその誘導体、トリメチロールプロパン、及びトリメチロールエタンなどの常温（２５℃）で固体の水溶性有機化合物を含有させてもよい。また、本発明のインクには、必要に応じて、界面活性剤、樹脂、ｐＨ調整剤、消泡剤、防錆剤、防腐剤、防黴剤、酸化防止剤、還元防止剤、及びキレート剤などの種々の添加剤を含有させてもよい。本発明においては、例えば、アセチレングリコール系、フッ素系、シリコーン系、及びポリオキシエチレンアルキルエーテル系などの界面活性剤の１種又は２種以上をインクに含有させることが好ましい。インク中の界面活性剤の含有量（質量％）は、インク全質量を基準として、０．０５質量％以上２．００質量％以下であることが好ましい。
【００２９】
（インクの物性）
本発明においては、インクの２５℃における粘度は、１．０ｍＰａ・ｓ以上５．０ｍＰａ・ｓ以下であることが好ましく、１．０ｍＰａ・ｓ以上３．５ｍＰａ・ｓ以下であることがさらに好ましい。また、インクの２５℃における静的表面張力は、２８ｍＮ／ｍ以上４５ｍＮ／ｍ以下であることが好ましい。また、インクの２５℃におけるｐＨは、５以上９以下であることが好ましい。
【００３０】
＜インクカートリッジ＞
本発明のインクカートリッジは、インクと、このインクを収容するインク収容部とを備える。そして、このインク収容部に収容されているインクが、上記で説明した本発明のインクである。図１は、本発明のインクカートリッジの一実施形態を模式的に示す断面図である。図１に示すように、インクカートリッジの底面には、記録ヘッドにインクを供給するためのインク供給口１２が設けられている。インクカートリッジの内部はインクを収容するためのインク収容部となっている。インク収容部は、インク収容室１４と、吸収体収容室１６とで構成されており、これらは連通口１８を介して連通している。また、吸収体収容室１６はインク供給口１２に連通している。インク収容室１４には液体のインク２０が収容されており、吸収体収容室１６には、インクを含浸状態で保持する吸収体２２及び２４が収容されている。インク収容部は、液体のインクを収容するインク収容室を持たず、収容されるインク全量を吸収体により保持する形態であってもよい。また、インク収容部は、吸収体を持たず、インクの全量を液体の状態で収容する形態であってもよい。さらには、インク収容部と記録ヘッドとを有するように構成された形態のインクカートリッジとしてもよい。
【００３１】
＜インクジェット記録方法＞
本発明のインクジェット記録方法は、上記で説明した本発明のインクをインクジェット方式の記録ヘッドから吐出して記録媒体に画像を記録する方法である。インクを吐出する方式としては、インクに力学的エネルギーを付与する方式や、インクに熱エネルギーを付与する方式が挙げられる。本発明においては、インクに熱エネルギーを付与してインクを吐出する方式を採用することが特に好ましい。本発明のインクを用いること以外、インクジェット記録方法の工程は公知のものとすればよい。
【００３２】
図２は、本発明のインクジェット記録方法に用いられるインクジェット記録装置の一例を模式的に示す図であり、（ａ）はインクジェット記録装置の主要部の斜視図、（ｂ）はヘッドカートリッジの斜視図である。インクジェット記録装置には、記録媒体３２を搬送する搬送手段（不図示）、及びキャリッジシャフト３４が設けられている。キャリッジシャフト３４にはヘッドカートリッジ３６が搭載可能となっている。ヘッドカートリッジ３６は記録ヘッド３８及び４０を具備しており、インクカートリッジ４２がセットされるように構成されている。ヘッドカートリッジ３６がキャリッジシャフト３４に沿って主走査方向に搬送される間に、記録ヘッド３８及び４０から記録媒体３２に向かってインク（不図示）が吐出される。そして、記録媒体３２が搬送手段（不図示）により副走査方向に搬送されることによって、記録媒体３２に画像が記録される。
【実施例】
【００３３】
以下、実施例及び比較例を挙げて本発明をさらに詳細に説明するが、本発明は、その要旨を超えない限り、下記の実施例によって何ら限定されるものではない。なお、成分量に関して「部」及び「％」と記載しているものは特に断らない限り質量基準である。
【００３４】
＜顔料分散液の調製＞
（水溶性樹脂の合成）
撹拌装置、窒素導入管、還流冷却装置、及び温度計を備えたフラスコに窒素ガスを導入し、メチルエチルケトン２００部を加えた後、撹拌下で８０℃まで昇温した。そこに、スチレン５０部、アクリル酸ｎ−ブチル３０部、及びアクリル酸２０部の混合液と、重合開始剤（商品名「Ｖ−５９」、和光純薬製）１．９部及びメチルエチルケトン２０部の混合液を、８０℃を維持しながら、それぞれ２時間かけて滴下した。滴下後、さらに８０℃を維持して４時間撹拌して樹脂のメチルケトン溶液を得た。樹脂の酸価に対して０．９当量の水酸化カリウム及び適量のイオン交換水を加えて撹拌した後、メチルエチルケトンを減圧下で除去して水溶性樹脂（固形分）の含有量が２５．０％である樹脂水溶液を得た。
【００３５】
（顔料分散液１）
Ｃ．Ｉ．ピグメントイエロー７４（商品名「ブリリアントイエロー５ＧＸ」、クラリアント製）２０．０部、樹脂水溶液４０．０部、イオン交換水４０．０部の混合物を調製した。この混合物を分散・乳化機（商品名「クレアミックス」、エム・テクニック製）に入れて１０，０００ｒｐｍで６０分間プレミキシングを行った。さらに、高圧ホモジナイザー（商品名「スターバースト」、スギノマシン製）により処理圧力２４５ＭＰａ、２０パス処理で分散を行った。その後、高速冷却遠心機（商品名「ｈｉｍａｃ  ＣＲ−Ｎ」、日立工機製）を使用して粗大粒子を除去し、ポアサイズ３．０μｍのミクロフィルター（富士フイルム製）にて加圧ろ過を行い、イオン交換水を添加した後にエバポレーターにて濃縮した。このようにして、顔料の含有量が２０．０％、水溶性樹脂の含有量が１０．０％である顔料分散液１を得た。
【００３６】
（顔料分散液２）
顔料をカーボンブラック（商品名「プリンテックス８０」、オリオンエンジニアドカーボンズ製）に変更した以外は顔料分散液１と同様にして、顔料分散液２を得た。
【００３７】
（顔料分散液３）
市販の自己分散顔料（商品名「ＣＡＢ−Ｏ−ＪＥＴ４７０Ｙ」、キャボット製）をイオン交換水で希釈し、顔料の含有量が２０．０％の顔料分散液３を得た。顔料の種類はＣ．Ｉ．ピグメントイエロー７４である。
【００３８】
（顔料分散液４）
市販の自己分散顔料（商品名「ＣＡＢ−Ｏ−ＪＥＴ４００」、キャボット製）をイオン交換水で希釈し、顔料の含有量が２０．０％の顔料分散液４を得た。顔料の種類はカーボンブラックである。
【００３９】
＜カルボキシメチルセルロースの水分散液の調製＞
（カルボキシメチルセルロース１）
重量平均分子量が７００，０００、エーテル化度が０．９のカルボキシメチルセルロースとしてシグマアルドリッチ製のナトリウムカルボキシメチルセルロース１部とイオン交換水９９部を混合した。この混合物に、分散・乳化機（商品名「クレアミックス」、エム・テクニック製）を使用してプレミキシング（１０，０００ｒｐｍ，６０分間）を行った。その後、ポアサイズ３．０μｍのミクロフィルター（富士フイルム製）にて加圧ろ過を行った。イオン交換水を添加した後にエバポレーターにて濃縮し、カルボキシメチルセルロース（ＣＭＣ）１の水分散液（ＣＭＣ１の含有量：２．０％）を得た。
【００４０】
（カルボキシメチルセルロース２）
重量平均分子量が２５０，０００、エーテル化度が０．７のカルボキシメチルセルロースとしてシグマアルドリッチ製のナトリウムカルボキシメチルセルロースに変更した以外はカルボキシメチルセルロース１と同様にして、カルボキシメチルセルロース（ＣＭＣ）２の水分散液を得た。この水分散液中のＣＭＣ２の含有量は、２．０％であった。
【００４１】
（カルボキシメチルセルロース３）
重量平均分子量が２５０，０００、エーテル化度が０．９のカルボキシメチルセルロースとしてシグマアルドリッチ製のナトリウムカルボキシメチルセルロースに変更した以外はカルボキシメチルセルロース１と同様にして、カルボキシメチルセルロース（ＣＭＣ）３の水分散液を得た。この水分散液中のＣＭＣ３の含有量は、２．０％であった。
【００４２】
（カルボキシメチルセルロース４）
重量平均分子量が２５０，０００、エーテル化度が１．２のカルボキシメチルセルロースとしてシグマアルドリッチ製のナトリウムカルボキシメチルセルロースに変更した以外はカルボキシメチルセルロース１と同様にして、カルボキシメチルセルロース（ＣＭＣ）４の水分散液を得た。この水分散液中のＣＭＣ４の含有量は、２．０％であった。
【００４３】
（カルボキシメチルセルロース５）
重量平均分子量が９０，０００、エーテル化度が０．７のカルボキシメチルセルロースとしてシグマアルドリッチ製のナトリウムカルボキシメチルセルロースに変更した以外はカルボキシメチルセルロース１と同様にして、カルボキシメチルセルロース（ＣＭＣ）５の水分散液を得た。この水分散液中のＣＭＣ５の含有量は、２．０％であった。
【００４４】
＜インクの調製＞
表１の上段に示す各成分（単位：％）を混合し十分に撹拌した後、ポアサイズが０．２μｍであるポリプロピレンフィルター（ポール製）にて加圧ろ過を行って各インクを調製した。なお、表１中のサーフィノール４６５（Ａｉｒ  Ｐｒｏｄｕｃｔｓ製）は、アセチレングリコール系の界面活性剤の商品名であり、アセチレングリコールのエチレンオキサイド付加物で、エチレンオキサイド基の付加モル数が１０のものである。また、表１の下段には、カルボキシメチルセルロース（ＣＭＣ）の重量平均分子量（Ｍｗ）、及びＣＭＣのエーテル化度を示した。同様に、表１の下段には、インク中の顔料の含有量Ａ（単位：％）、インク中のＣＭＣの含有量Ｂ（単位：％）、及び顔料の含有量Ａに対するＣＭＣの含有量Ｂの質量比率（Ｂ／Ａ）の値を示した。
【００４５】
2017039889.tif 000002
【００４６】
2017039889.tif 000003
【００４７】
2017039889.tif 000004
【００４８】
＜評価＞
上記で得られた各インクをインクカートリッジに充填し、熱エネルギーによりインクを吐出する記録ヘッドを搭載したインクジェット記録装置（商品名「ＰＩＸＵＳ  Ｐｒｏ  ９５００」、キヤノン製）にセットした。上記のインクジェット記録装置では、１／６００インチ×１／６００インチの単位領域に１滴当たりの質量が３．５ｎｇであるインク滴を８滴付与する条件で記録した画像を記録デューティが１００％であると定義する。本発明においては、以下に示す評価基準で、「Ｃ」を許容できないレベル、「Ａ」及び「Ｂ」を許容できるレベルとした。評価結果を表２に示す。
【００４９】
（吐出安定性）
上記のインクジェット記録装置を用いて、各インクを１０，０００Ｈｚの吐出周波数で６時間連続吐出させた後、記録媒体（商品名「キヤノン写真用紙・光沢  ゴールド  ＧＬ−１０１」、キヤノン製）に記録デューティが１００％のベタ画像を１０枚記録した。その後、上記インクジェット記録装置のノズルチェックパターンを１枚記録した。このときのノズルチェックパターンを目視で観察することにより、インクの吐出安定性を評価した。インクの吐出安定性の評価基準は以下の通りである。
Ａ：不吐出も吐出よれも生じていなかった。
Ｂ：不吐出と吐出よれがわずかに生じていたが気にならないレベルであった。
Ｃ：不吐出と吐出よれが生じていた。
【００５０】
（耐擦過性）
上記のインクジェット記録装置を用いて、記録媒体（商品名「ＯＫトップコート」、坪量１２７．９ｇ、王子製紙製）に、記録デューティが１００％のベタ画像（２００ｍｍ×２００ｍｍ）を記録した。この画像に対し、ＪＩＳ  Ｌ  ０８４９に準じた学振型試験機である耐摩耗試験機（井元製作所製）を用いて、荷重５００ｇで１０往復の条件で摩擦試験を行った。摩擦試験後の画像を目視で観察することにより、画像の耐擦過性を評価した。画像の耐擦過性の評価基準は以下の通りである。
Ａ：画像に擦過痕がついていなかった、又は画像にわずかに擦過痕がついていた。
Ｂ：画像に擦過痕がついており、わずかに記録媒体の白地が見えてはいたが、目立たないレベルであった。
Ｃ：画像に擦過痕がついており、記録媒体の白地が見えていた。
【００５１】
2017039889.tif 000005
【図１】
2017039889.tif 000006
【図２】
2017039889.tif 000007